(57)【要約】【課題】  光中継装置において光学的雑音が発生しても波長数を誤検出することなく、波長多重光信号に対するレベル調整やレベル監視機能が正常に動作することができる波長多重光信号伝送方法、波長多重光信号伝送システム及び光中継装置を提供する。【解決手段】  波長数情報が波長の合計数と各波長単位に信号の有無とを含むことにより、光中継装置１０１において光学的雑音が発生しても波長数を誤検出することなく、波長多重光信号に対するレベル調整やレベル監視機能が正常に動作することができる。【選択図】  図１
2006014160.tif 000002
【特許請求の範囲】
【請求項１】
上流装置から光ファイバで伝送され、制御光信号及び複数の被制御光信号からなる波長多重光信号を光中継装置から光ファイバで下流装置に伝送する波長多重光信号伝送方法であって、
前記光中継装置は、前記上流装置から伝送された前記波長多重光信号を波長毎の光信号に分割し、波長毎の被制御光信号の有無を表す波長数情報群を含む制御光信号に基づいて波長毎に被制御光信号を処理し、制御光信号及び処理された被制御光信号を再度多重化し、得られた波長多重光信号を前記下流装置に伝送することを特徴とする波長多重光信号伝送方法。
【請求項２】
前記光中継装置は、前記被制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態とすることを特徴とする請求項１記載の波長多重光信号伝送方法。
【請求項３】
前記光中継装置は、前記制御光信号の波長数情報に基づき、入力した波長多重光信号に対するレベル調整やレベル監視機能の制御を行うことを特徴とする請求項１または２記載の波長多重光信号伝送方法。
【請求項４】
光ファイバでリング状に接続した複数の光中継装置で制御光信号及び複数の被制御光信号からなる波長多重光信号を一方向に順次伝送する波長多重光信号伝送方法あって、
前記各光中継装置は、上流側の光中継装置から伝送された波長多重光信号を分割し、波長毎の被制御光信号の有無を表す波長数情報群を含む制御光信号に基づいて前記波長多重光信号を波長毎に処理し、制御光信号及び処理された被制御光信号を再度多重化し、得られた波長多重光信号を下流の光中継装置に伝送することを特徴とする波長多重光信号伝送方法。
【請求項５】
一対の光中継器を有する光中継装置を複数個配置し、各光中継装置の一方の光中継器同士を光ファイバで接続してリング状の伝送路を形成すると共に他方の光中継器同士を光ファイバで接続してリング状の伝送路を形成し、制御光信号及び複数の被制御光信号からなる波長多重光信号をそれぞれ両リング状の伝送路で互いに逆方向になるように伝送させる波長多重光信号伝送方法であって、
前記各光中継器は、上流側の光中継器から伝送された前記波長多重光信号を分割し、波長毎の被制御光信号の有無を表す波長数情報群を含む制御光信号に基づいて前記波長多重光信号を波長毎に処理し、制御光信号及び処理された被制御光信号を再度多重化し、得られた波長多重光信号を下流側の光中継器に伝送することを特徴とする波長多重光信号伝送方法。
【請求項６】
一対の光中継器を有する光中継装置を複数個配置し、各光中継装置の一方の光中継器同士を光ファイバで接続して直鎖状の伝送路を形成すると共に他方の光中継器同士を光ファイバで接続して直鎖状の伝送路を形成し、両端の光中継器にそれぞれ上流装置及び下流装置を接続し、制御光信号及び複数の被制御光信号からなる波長多重光信号をそれぞれ両伝送路で互いに逆方向になるように伝送させる波長多重光信号伝送方法であって、
前記各光中継器は、上流側の光中継器から伝送された前記波長多重光信号を分割し、波長毎の被制御光信号の有無を表す波長数情報群を含む制御光信号に基づいて前記波長多重光信号を波長毎に処理し、制御光信号及び処理された被制御光信号を再度多重化し、得られた波長多重光信号を下流側の光中継器に伝送することを特徴とする波長多重光信号伝送方法。
【請求項７】
前記各光中継器は、前記制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態とすることを特徴とする請求項４から６のいずれか１項記載の波長多重光信号伝送方法。
【請求項８】
前記光中継器は、前記制御光信号の波長数情報に基づき、入力した波長多重光信号に対するレベル調整やレベル監視機能の制御を行うことを特徴とする請求項４から７のいずれか１項記載の波長多重光信号伝送方法。
【請求項９】
前記波長数情報は、何波多重されているかを表す情報を含むことを特徴とする請求項１から８のいずれか１項記載の波長多重光信号伝送方法。
【請求項１０】
上流装置から光ファイバで伝送され、制御光信号及び複数の被制御光信号からなる波長多重光信号を光中継装置から光ファイバで下流装置に伝送する波長多重光信号伝送システムであって、
前記上流装置は、制御光信号及び複数の被制御光信号を受信する受信手段と、受信した制御光信号及び被制御光信号を多重化する多重化手段とを有し、
前記光中継装置は、前記上流装置からの波長多重光信号を波長毎に分割する分割手段と、波長毎の被制御光信号の有無を表す波長数情報群に基づいて波長毎に被制御光信号を処理する処理手段と、制御光信号及び被制御光信号を再度多重化する多重化手段とを有し、
前記下流装置は、前記光中継装置からの波長多重光信号を分割する分割手段と、分割された制御光信号及び被制御光信号を外部に送信する送信手段とを有することを特徴とする波長多重光信号伝送システム。
【請求項１１】
前記光中継装置の処理手段は、前記被制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態とすることを特徴とする請求項１０記載の波長多重光信号伝送システム。
【請求項１２】
前記光中継装置の処理手段は、前記制御信号の波長数情報に基づき、入力した波長多重光信号に対するレベル調整やレベル監視機能の制御を行うことを特徴とする請求項１０または１１記載の波長多重光信号伝送システム。
【請求項１３】
光ファイバでリング状に接続した複数の光中継装置で制御光信号及び複数の被制御光信号からなる波長多重光信号を一方向に順次伝送する波長多重光信号伝送システムあって、
前記各光中継装置は、前段の光中継装置から伝送された波長多重光信号を分割する分割手段と、波長毎の被制御光信号の有無を表す波長数情報群を含む制御光信号に基づいて前記波長多重光信号を波長毎に処理する処理手段と、制御光信号及び複数の被制御光信号を再度多重化して次段の光中継装置に伝送する多重化手段とを有することを特徴とする波長多重光信号伝送システム。
【請求項１４】
一対の光中継器を有する光中継装置を複数個配置し、各光中継装置の一方の光中継器同士を光ファイバで接続してリング状の伝送路を形成すると共に他方の光中継器同士を光ファイバで接続してリング状の伝送路を形成し、制御光信号及び複数の被制御光信号からなる波長多重光信号をそれぞれ両リング状の伝送路で互いに逆方向になるように伝送させる波長多重光信号伝送システムであって、
前記各光中継器は、前段の光中継器の前記波長多重光信号を分割する分割手段と、波長毎の信号の有無を表す波長数情報群を含む制御光信号に基づいて前記波長多重光信号を波長毎に処理する処理手段と、該処理手段により処理された制御光信号及び被制御光信号を再度多重化する多重化手段とを有することを特徴とする波長多重光信号伝送システム。
【請求項１５】
一対の光中継器を有する光中継装置を複数個配置し、各光中継装置の一方の光中継器同士を光ファイバで接続して直鎖状の伝送路を形成すると共に他方の光中継器同士を光ファイバで接続して直鎖状の伝送路を形成し、両端の光中継器にそれぞれ上流装置及び下流装置を接続し、制御光信号及び複数の被制御光信号からなる波長多重光信号をそれぞれ両伝送路で互いに逆方向になるように伝送させる波長多重光信号伝送システムであって、
前記各光中継器は、前段の光中継器の前記波長多重光信号を分割する分割手段と、波長毎の信号の有無を表す波長数情報群を含む制御光信号に基づいて前記波長多重光信号を波長毎に処理する処理手段と、該処理手段により処理された制御光信号及び被制御光信号を再度多重化する多重化手段とを有することを特徴とする波長多重光信号伝送システム。
【請求項１６】
前記各光中継器の処理手段は、前記制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態とすることを特徴とする請求項１３から１５のいずれか１項記載の波長多重光信号伝送システム。
【請求項１７】
前記光中継器は、前記波長数情報信号に付与された波長数情報に基づき、入力した波長多重光信号に対するレベル調整やレベル監視機能の制御を行うことを特徴とする請求項１３から１６のいずれか１項記載の波長多重光信号伝送システム。
【請求項１８】
前記波長数情報は、何波多重されているかを表す情報を含むことを特徴とする請求項１３から１７のいずれか１項記載の波長多重光信号伝送システム。
【請求項１９】
上流装置から光ファイバで伝送され、制御光信号及び複数の被制御光信号からなる波長多重光信号を光ファイバで下流装置に伝送する光中継装置であって、
前記光中継装置は、前記上流装置からの前記波長多重光信号を波長毎に分割する分割手段と、波長毎の被制御光信号の有無を表す波長数情報群を含む制御光信号に基づいて波長毎に被制御光信号を処理する処理手段と、制御光信号及び被制御光信号を再度多重化する多重化手段とを有することを特徴とする光中継装置。
【請求項２０】
前記光中継装置の処理手段は、前記制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態とすることを特徴とする請求項１９記載の光中継装置。
【請求項２１】
前記光中継装置の処理手段は、前記制御信号の波長数情報に基づき、入力した波長多重光信号に対するレベル調整やレベル監視機能の制御を行うことを特徴とする請求項１９または２０記載の光中継装置。
【請求項２２】
光ファイバでリング状に接続され、制御光信号及び複数の被制御光信号からなる波長多重光信号を一方向に順次伝送する波長多重光信号伝送システムに用いられる光中継装置あって、
前記各光中継装置は、前段の光中継装置から伝送された波長多重光信号を分割する分割手段と、波長毎の被制御光信号の有無を表す波長数情報群に基づいて前記波長多重光信号を波長毎に処理する処理手段と、制御光信号及び複数の被制御光信号を再度多重化して次段の光中継装置に伝送する多重化手段とを有することを特徴とする光中継装置。
【請求項２３】
一対の光中継器を有し、複数個配置され、各光中継器の一方の光中継器同士が光ファイバで接続されてリング状の伝送路が形成されると共に他方の光中継器同士が光ファイバで接続されてリング状の伝送路が形成され、制御光信号及び複数の被制御光信号からなる波長多重光信号がそれぞれ両リング状の伝送路で逆方向になるように伝送する波長多重光信号伝送システムの光中継装置であって、
前記各光中継器は、前段の光中継器の前記波長多重光信号を分割する分割手段と、波長毎の信号の有無を表す波長数情報群を含む制御光信号に基づいて前記波長多重光信号を波長毎に処理する処理手段と、該処理手段により処理された制御光信号及び被制御光信号を再度多重化する多重化手段とを有することを特徴とする光中継装置。
【請求項２４】
一対の光中継器を有し、複数個配置され、各光中継器の一方の光中継器同士が光ファイバで接続されて直鎖状の伝送路が形成されると共に他方の光中継器同士が光ファイバで接続されて直鎖状の伝送路が形成され、両端の光中継器にそれぞれ上流装置及び下流装置が接続され、制御光信号及び複数の被制御光信号からなる波長多重光信号がそれぞれ両直鎖状の伝送路で逆方向になるように伝送する波長多重光信号伝送システムの光中継装置であって、
前記各光中継器は、前段の光中継器の前記波長多重光信号を分割する分割手段と、波長毎の信号の有無を表す波長数情報群を含む制御光信号に基づいて前記波長多重光信号を波長毎に処理する処理手段と、該処理手段により処理された制御光信号及び被制御光信号を再度多重化する多重化手段とを有することを特徴とする光中継装置。
【請求項２５】
前記各光中継器の処理手段は、前記制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対する被制御光信号については外部からの光信号の受信があればその光信号を被制御光信号として出力して波長数情報を有信号状態とし、外部からの光信号がなければ終端処理して波長数情報を無信号状態とすることを特徴とする請求項２２から２４のいずれか１項記載の光中継装置。
【請求項２６】
前記光中継器は、前記波長数情報信号に付与された波長数情報に基づき、入力した波長多重光信号に対するレベル調整やレベル監視機能の制御を行うことを特徴とする請求項２２から２５のいずれか１項記載の光中継装置。
【請求項２７】
前記波長数情報は、何波多重されているかを表す情報を含むことを特徴とする請求項２２から２６のいずれか１項記載の光中継装置。
【発明の詳細な説明】
【技術分野】
【０００１】
本発明は、波長多重光信号伝送方法、波長多重光信号伝送システム及び光中継装置に関する。
【背景技術】
【０００２】
従来の波長多重光信号伝送システムについて図１０を参照して説明する。
同図において、１００は上流装置としての波長多重装置であり、９００は光中継装置であり、１０２は下流装置としての波長分割装置であり、波長多重装置１００から波長分割装置１０２のルートに光ファイバ７−１、７−２で波長多重光信号を伝送することを示す。
なお、光中継装置９００は、伝送路の距離や受信した光信号レベルの減衰量に応じて複数段配置されると共に、任意の光信号を外部インタフェースへ分離したり外部インタフェースからの新たな光信号を波長多重したりすることが可能である。
【０００３】
各装置１００、１０２、９００において、１−１は外部インタフェース信号受信部を示し、対向する装置（例えば、外部インタフェース信号受信部１−１、外部インタフェース信号送信部６−１でインタフェースが可能な信号を扱う装置であればよく、ＳＴＭ（同期伝達モード）信号を扱うＳＴＭ伝送装置、ＡＴＭ（非同期伝達モード）伝送装置、インターネット等のギガビット信号を扱うルーター装置等が挙げられる。また、波長多重／分割装置自体も対向する装置になりえる。波長多重／分割装置では受信した各インタフェース信号自体への制御は行わず、出力時にはそのオリジナル信号の波長に戻す。）からの光信号を受信し任意の波長を持った信号へ変換を行う。２−１、２−２は波長多重部を示し、外部インタフェース信号受信部１−１において変換されたｎ本の波長λ１〜λｎの光信号を受信し、１つの波長多重光信号を生成し波長数に応じた光レベルを調整し伝送路へ送信する。３、３−１、３−２は波長数情報管理部を示し、波長多重光信号に波長多重されている光信号の波長数の管理を行う。
【０００４】
ここで、「波長数（波長の合計数とも言う）」とは波長多重光信号において多重されている光信号の数をいい、例えば１６の光信号が多重化されている場合には１６波多重と記し、４０の光信号が多重化されている場合には４０波多重等と記す。また、「波長」とは多重化されている各光信号自体の呼称を示す。各光信号は任意の波長の光信号に変換されており、同一の波長を持つ光信号は存在しえない。本明細書では各光信号を「波長」と呼ぶ。さらに、「送信」とは無線送信ではなく、内部バスを用いて電気信号を送ること、もしくは光ファイバを用いて波長を送ることを意味する。
４−１、４−２は光信号分割部を示し、伝送路より受信した波長多重光信号を波長数に応じた光レベルに調整し各波長へ分割する。５−１は波長中継部を示し劣化した波長信号を補正し元の品質へ戻す。６−１は外部インタフェース信号送信部を示し、対向する装置へ信号を送信する。Ｓ１、Ｓ２は波長多重光信号を示す。
【０００５】
これら波長多重装置３−１、光中継装置３、及び波長分割装置３−３により波長数情報の伝送が行われる（例えば、特許文献１、２参照）。
【特許文献１】特開平１０−３０３８２３号公報
【特許文献２】特開２００１−７８２９号公報
【発明の開示】
【発明が解決しようとする課題】
【０００６】
しかしながら、上述した従来技術（特許文献１、２参照）においては、次のような課題がある。
第１の課題は、波長多重装置から光中継装置への波長数情報としては合計波長しか加算されていないため、各波長の設定状態に関わらず、各装置単位で入力レベルの有無だけで波長数情報を生成していることである。
第２の課題は、光中継装置を図１１に示すように多段直列接続したり、波長多重される波長の間隔が狭くなったりしたときに誤検出が生じる問題である。
図１１は光中継装置を多段直列接続した状態を示す図である。
特にこのように、光中継装置９００−１、９００−２、…、９００−ｎが多段に並んだシステムの場合、誤検出が発生しやすくなるため、誤検出を防止したシステムが望まれる。
図１２（ａ）は波長多重化される波長列を示す図であり、図１２（ｂ）は図１２（ａ）の部分拡大図である。両図において横軸は波長（ｎｍ）を示し、縦軸は波長レベル（ｄＢ）を示す。
図１２（ｂ）に示すように、光中継装置の多段に並んだシステムの場合、波長多重光信号の波形はＮのようになまりはじめ、波長多重光信号に光学的雑音が生じる。この光学的雑音の強度をＬｎとすると、Ｌｎが増加すると、波長多重光信号を分割した際に本来信号が無かった波長（図ではλＸ）に対してもあたかも光信号が存在するかのように見えてしまい、波長数が不正常になることがある。
【０００７】
すなわち、従来の技術では、波長多重される光信号の有無情報のみで波長数情報を生成していたため、光中継装置において光学的雑音が発生した場合に波長数を誤検出してしまい、波長多重光信号に対するレベル調整やレベル監視機能が不正常な動作をすることがあった。
そこで、本発明の目的は、光中継装置において光学的雑音が発生しても波長数を誤検出することなく、波長多重光信号に対するレベル調整やレベル監視機能が正常に動作することができる波長多重光信号伝送方法、波長多重光信号伝送システム及び光中継装置を提供することにある。
【課題を解決するための手段】
【０００８】
上記課題を解決するため、本発明の波長多重光信号伝送方法は、上流装置から光ファイバで伝送され、制御光信号及び複数の被制御光信号からなる波長多重光信号を光中継装置から光ファイバで下流装置に伝送する波長多重光信号伝送方法であって、前記光中継装置は、前記上流装置から伝送された前記波長多重光信号を波長毎の光信号に分割し、波長毎の被制御光信号の有無を表す波長数情報群を含む制御光信号に基づいて波長毎に被制御光信号を処理し、制御光信号及び処理された被制御光信号を再度多重化し、得られた波長多重光信号を前記下流装置に伝送することを特徴とする。
【０００９】
本発明によれば、波長数情報が各波長単位に光信号の有無を含むことにより、光中継装置において光学的雑音が発生しても波長数を誤検出することなく、波長多重光信号に対するレベル調整やレベル監視機能が正常に動作することができる。
【００１０】
なお、前記波長多重光信号伝送方法において、前記光中継装置は、前記被制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態としてもよい。
【００１１】
なお、前記波長多重光信号伝送方法において、前記光中継装置は、前記制御光信号の波長数情報に基づき、入力した波長多重光信号に対するレベル調整やレベル監視機能の制御を行ってもよい。
【００１２】
または、本発明の波長多重光信号伝送方法は、光ファイバでリング状に接続した複数の光中継装置で制御光信号及び複数の被制御光信号からなる波長多重光信号を一方向に順次伝送する波長多重光信号伝送方法あって、前記各光中継装置は、上流側の光中継装置から伝送された波長多重光信号を分割し、波長毎の被制御光信号の有無を表す波長数情報群を含む制御光信号に基づいて前記波長多重光信号を波長毎に処理し、制御光信号及び処理された被制御光信号を再度多重化し、得られた波長多重光信号を下流の光中継装置に伝送することを特徴とする。
【００１３】
または、本発明の波長多重光信号伝送方法は、一対の光中継器を有する光中継装置を複数個配置し、各光中継装置の一方の光中継器同士を光ファイバで接続してリング状の伝送路を形成すると共に他方の光中継器同士を光ファイバで接続してリング状の伝送路を形成し、制御光信号及び複数の被制御光信号からなる波長多重光信号をそれぞれ両リング状の伝送路で互いに逆方向になるように伝送させる波長多重光信号伝送方法であって、前記各光中継器は、上流側の光中継器から伝送された前記波長多重光信号を分割し、波長毎の被制御光信号の有無を表す波長数情報群を含む制御光信号に基づいて前記波長多重光信号を波長毎に処理し、制御光信号及び処理された被制御光信号を再度多重化し、得られた波長多重光信号を下流側の光中継器に伝送することを特徴とする。
【００１４】
または、本発明の波長多重光信号伝送方法は、一対の光中継器を有する光中継装置を複数個配置し、各光中継装置の一方の光中継器同士を光ファイバで接続して直鎖状の伝送路を形成すると共に他方の光中継器同士を光ファイバで接続して直鎖状の伝送路を形成し、両端の光中継器にそれぞれ上流装置及び下流装置を接続し、制御光信号及び複数の被制御光信号からなる波長多重光信号をそれぞれ両伝送路で互いに逆方向になるように伝送させる波長多重光信号伝送方法であって、前記各光中継器は、上流側の光中継器から伝送された前記波長多重光信号を分割し、波長毎の被制御光信号の有無を表す波長数情報群を含む制御光信号に基づいて前記波長多重光信号を波長毎に処理し、制御光信号及び処理された被制御光信号を再度多重化し、得られた波長多重光信号を下流側の光中継器に伝送することを特徴とする。
【００１５】
なお、前記波長多重光信号伝送方法において、前記各光中継器は、前記制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態としてもよい。
【００１６】
なお、前記波長多重光信号伝送方法において、前記光中継器は、前記制御光信号の波長数情報に基づき、入力した波長多重光信号に対するレベル調整やレベル監視機能の制御を行ってもよい。
【００１７】
なお、前記波長多重光信号伝送方法において、前記波長数情報は、何波多重されているかを表す情報を含んでもよい。
【００１８】
または、本発明の波長多重光信号伝送システムは、上流装置から光ファイバで伝送され、制御光信号及び複数の被制御光信号からなる波長多重光信号を光中継装置から光ファイバで下流装置に伝送する波長多重光信号伝送システムであって、前記上流装置は、制御光信号及び複数の被制御光信号を受信する受信手段と、受信した制御光信号及び被制御光信号を多重化する多重化手段とを有し、前記光中継装置は、前記上流装置からの波長多重光信号を波長毎に分割する分割手段と、波長毎の被制御光信号の有無を表す波長数情報群に基づいて波長毎に被制御光信号を処理する処理手段と、制御光信号及び被制御光信号を再度多重化する多重化手段とを有し、前記下流装置は、前記光中継装置からの波長多重光信号を分割する分割手段と、分割された制御光信号及び被制御光信号を外部に送信する送信手段とを有することを特徴とする。
本発明によれば、波長数情報が各波長単位に光信号の有無を含むことにより、光中継装置において光学的雑音が発生しても波長数を誤検出することなく、波長多重光信号に対するレベル調整やレベル監視機能が正常に動作することができる。
【００１９】
なお、前記波長多重光信号伝送システムにおいて、前記光中継装置の処理手段は、前記被制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態としてもよい。
【００２０】
なお、前記波長多重光信号伝送システムにおいて、前記光中継装置の処理手段は、前記制御信号の波長数情報に基づき、入力した波長多重光信号に対するレベル調整やレベル監視機能の制御を行ってもよい。
【００２１】
または、本発明の波長多重光信号伝送システムは、光ファイバでリング状に接続した複数の光中継装置で制御光信号及び複数の被制御光信号からなる波長多重光信号を一方向に順次伝送する波長多重光信号伝送システムあって、前記各光中継装置は、前段の光中継装置から伝送された波長多重光信号を分割する分割手段と、波長毎の被制御光信号の有無を表す波長数情報群を含む制御光信号に基づいて前記波長多重光信号を波長毎に処理する処理手段と、制御光信号及び複数の被制御光信号を再度多重化して次段の光中継装置に伝送する多重化手段とを有することを特徴とする。
【００２２】
または、本発明の波長多重光信号伝送システムは、一対の光中継器を有する光中継装置を複数個配置し、各光中継装置の一方の光中継器同士を光ファイバで接続してリング状の伝送路を形成すると共に他方の光中継器同士を光ファイバで接続してリング状の伝送路を形成し、制御光信号及び複数の被制御光信号からなる波長多重光信号をそれぞれ両リング状の伝送路で互いに逆方向になるように伝送させる波長多重光信号伝送システムであって、前記各光中継器は、前段の光中継器の前記波長多重光信号を分割する分割手段と、波長毎の信号の有無を表す波長数情報群を含む制御光信号に基づいて前記波長多重光信号を波長毎に処理する処理手段と、該処理手段により処理された制御光信号及び被制御光信号を再度多重化する多重化手段とを有することを特徴とする。
【００２３】
または、本発明の波長多重光信号伝送システムは、一対の光中継器を有する光中継装置を複数個配置し、各光中継装置の一方の光中継器同士を光ファイバで接続して直鎖状の伝送路を形成すると共に他方の光中継器同士を光ファイバで接続して直鎖状の伝送路を形成し、両端の光中継器にそれぞれ上流装置及び下流装置を接続し、制御光信号及び複数の被制御光信号からなる波長多重光信号をそれぞれ両伝送路で互いに逆方向になるように伝送させる波長多重光信号伝送システムであって、前記各光中継器は、前段の光中継器の前記波長多重光信号を分割する分割手段と、波長毎の信号の有無を表す波長数情報群を含む制御光信号に基づいて前記波長多重光信号を波長毎に処理する処理手段と、該処理手段により処理された制御光信号及び被制御光信号を再度多重化する多重化手段とを有することを特徴とする。
【００２４】
なお、前記波長多重光信号伝送システムにおいて、前記各光中継器の処理手段は、前記制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態としてもよい。
【００２５】
なお、前記波長多重光信号伝送システムにおいて、前記光中継器は、前記波長数情報信号に付与された波長数情報に基づき、入力した波長多重光信号に対するレベル調整やレベル監視機能の制御を行ってもよい。
【００２６】
なお、前記波長多重光信号伝送システムにおいて、前記波長数情報は、何波多重されているかを表す情報を含んでもよい。
【００２７】
または、本発明の光中継装置は、上流装置から光ファイバで伝送され、制御光信号及び複数の被制御光信号からなる波長多重光信号を光ファイバで下流装置に伝送する光中継装置であって、前記光中継装置は、前記上流装置からの前記波長多重光信号を波長毎に分割する分割手段と、波長毎の被制御光信号の有無を表す波長数情報群を含む制御光信号に基づいて波長毎に被制御光信号を処理する処理手段と、制御光信号及び被制御光信号を再度多重化する多重化手段とを有することを特徴とする。
本発明によれば、波長数情報が各波長単位に光信号の有無を含むことにより、光中継装置において光学的雑音が発生しても波長数を誤検出することなく、波長多重光信号に対するレベル調整やレベル監視機能が正常に動作することができる。
【００２８】
なお、前記光中継装置において、前記光中継装置の処理手段は、前記制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対応する被制御光信号については外部からの光信号の受信があればその光信号を被制御光信号として出力して波長数情報を有信号状態とし、外部からの光信号がなければ終端処理して波長数情報を無信号状態としてもよい。
【００２９】
なお、前記光中継装置において、前記光中継装置の処理手段は、前記制御信号の波長数情報に基づき、入力した波長多重光信号に対するレベル調整やレベル監視機能の制御を行ってもよい。
【００３０】
または、本発明の光中継装置は、光ファイバでリング状に接続され、制御光信号及び複数の被制御光信号からなる波長多重光信号を一方向に順次伝送する波長多重光信号伝送システムに用いられる光中継装置あって、前記各光中継装置は、前段の光中継装置から伝送された波長多重光信号を分割する分割手段と、波長毎の被制御光信号の有無を表す波長数情報群に基づいて前記波長多重光信号を波長毎に処理する処理手段と、制御光信号及び複数の被制御光信号を再度多重化して次段の光中継装置に伝送する多重化手段とを有することを特徴とする。
【００３１】
または、本発明の光中継装置は、一対の光中継器を有し、複数個配置され、各光中継器の一方の光中継器同士が光ファイバで接続されてリング状の伝送路が形成されると共に他方の光中継器同士が光ファイバで接続されてリング状の伝送路が形成され、制御光信号及び複数の被制御光信号からなる波長多重光信号がそれぞれ両リング状の伝送路で逆方向になるように伝送する波長多重光信号伝送システムの光中継装置であって、前記各光中継器は、前段の光中継器の前記波長多重光信号を分割する分割手段と、波長毎の信号の有無を表す波長数情報群を含む制御光信号に基づいて前記波長多重光信号を波長毎に処理する処理手段と、該処理手段により処理された制御光信号及び被制御光信号を再度多重化する多重化手段とを有することを特徴とする。
【００３２】
または、本発明の光中継装置は、一対の光中継器を有し、複数個配置され、各光中継器の一方の光中継器同士が光ファイバで接続されて直鎖状の伝送路が形成されると共に他方の光中継器同士が光ファイバで接続されて直鎖状の伝送路が形成され、両端の光中継器にそれぞれ上流装置及び下流装置が接続され、制御光信号及び複数の被制御光信号からなる波長多重光信号がそれぞれ両直鎖状の伝送路で逆方向になるように伝送する波長多重光信号伝送システムの光中継装置であって、前記各光中継器は、前段の光中継器の前記波長多重光信号を分割する分割手段と、波長毎の信号の有無を表す波長数情報群を含む制御光信号に基づいて前記波長多重光信号を波長毎に処理する処理手段と、該処理手段により処理された制御光信号及び被制御光信号を再度多重化する多重化手段とを有することを特徴とする。
【００３３】
なお、前記光中継装置において、前記各光中継器の処理手段は、前記制御光信号のうちの有信号状態を表す波長数情報に対応する被制御光信号については劣化がなければそのまま被制御光信号を通過させて波長数情報を有信号状態とし、被制御光信号に劣化があれば一旦終端し、再生成することにより更新した被制御光信号を通過させて波長数情報を有信号状態とし、無信号状態を表す波長数情報に対する被制御光信号については外部からの光信号の受信があればその光信号を被制御光信号として出力して波長数情報を有信号状態とし、外部からの光信号がなければ終端処理して波長数情報を無信号状態としてもよい。
【００３４】
なお、前記光中継装置において、前記光中継器は、前記波長数情報信号に付与された波長数情報に基づき、入力した波長多重光信号に対するレベル調整やレベル監視機能の制御を行ってもよい。
【００３５】
なお、前記光中継装置において、前記波長数情報は、何波多重されているかを表す情報を含んでもよい。
【発明の効果】
【００３６】
波長数情報が各波長単位に信号の有無を含むことにより、光中継装置において光学的雑音が発生しても波長数を誤検出することなく、波長多重光信号に対するレベル調整やレベル監視機能が正常に動作することができる。
【発明を実施するための最良の形態】
【００３７】
（本発明の特徴）
本発明の特徴は、波長分割多重伝送システムおいて波長多重光信号に対するレベル調整やレベル監視機能を正確に行うために用いられる波長多重光信号伝送方法、波長多重光信号伝送システム及び光中継装置において、不正常の光信号レベルを波長として誤認識し誤った波長数情報を生成し、多重されている光信号の波長数と異なる波長数情報を伝送することを防止することにある。
【００３８】
（本発明の一実施の形態）
図１は、本発明の波長多重光信号伝送方法を適用した波長多重光信号伝送システムの一実施の形態を示す概念図である。
同図において、上流装置としての波長多重装置１００は、被制御光信号（波長λ１〜λｎ）を送る外部インタフェース信号受信部１−１と、外部インタフェース信号受信部１−１から入力された各光信号を多重化（波長多重）する波長多重部２−１と、波長多重部２−１の光信号を管理する波長数情報管理部３−１とで構成されている。
【００３９】
波長数情報管理部３−１は、波長多重部２−１の各入力部（ポート）Ｐ１１〜Ｐ１ｎにおいて被制御光信号の受信の有無を監視し、各ポートにおける被制御光信号（波長λ１〜λｎ）の有無を示す個別の波長数情報群を制御光信号（波長数情報信号）に付与して全被制御光信号と波長多重情報信号とを多重化し、波長多重光信号Ｓ１として光ファイバ（ケーブル）７−１の一端（図では左端）に出力する。すなわち、波長多重光信号Ｓ１は、波長λ１〜λｎの被制御光信号と、波長λｎ＋１の波長数情報信号とで構成されている（制御光信号の波長は被制御光信号（波長λ１〜λｎ）と異なる任意の波長を持ちλｎ＋１に限定されない。）。このため、波長多重装置１００の外部インタフェース信号受信部１−１からの被制御光信号はポートＰ１１〜Ｐ１ｎに入力され、制御光信号はポートＰ１ｎ＋１に入力される。
光中継装置１０１は、入力側が光ファイバ７−１の他端（この場合、右端）に接続された光信号分割部４−１と、光信号分割部４−１の出力部（ポートＰ２１〜Ｐ２ｎ）における被制御光信号の有無及び被制御光信号の補正の有無に関する波長数情報に応じて被制御光信号に必要な処理を施す管理を行い、多重化手段としての波長多重部２−２の入力部（ポートＰ３１〜Ｐ３ｎ）に処理後の被制御光信号を送る波長数情報管理部３−２と、処理後の光信号を入力部（ポートＰ３１〜Ｐ３ｎ）で受信し、波長数情報管理部３−２からの波長数情報に基づいて必要な処理を施して、処理後の被制御光信号と制御信号とを多重化し、得られた波長多重光信号Ｓ２を光ファイバ７−２の一端（この場合、左端）に入力する。
５−１は波長中継部であり、６−１は外部インタフェース信号送信部である。
【００４０】
尚、図ではポートＰ２１とポートＰ３１との間に中継部５−１が挿入され、ポートＰ２２〜ポートＰ３２、ポートＰ２３〜ポートＰ３３とが直接接続され、受信手段としての外部インタフェース信号受信部１−２の出力端がポートＰ３４に接続され、ポートＰ２５の出力端が送信手段としての外部インタフェース信号送信部６−１の入力端に接続され、ポートＰ２ｎとポートＰ３ｎとが直接接続されているが、波長多重光信号の被制御光信号の使用条件や品質の状態により異なるので、限定されるものではない。
波長数情報管理部３−２は、波長数情報信号受信部３２と、受信側波長数情報抽出部３３と、外部設定判定部３５と、送信側波長数情報生成部３７と、波長数情報信号生成部３９とで構成されている。
尚、波長数情報管理部３−２の構成は、波長多重装置１００の波長数情報管理部３−１、波長分割装置１０２の波長数情報管理部３−３で共通である。
波長多重装置１００では上記（６）〜（８）の処理を行い、光中継装置１０１では上記（１）〜（９）の処理を行い、波長分割装置１０２では上記（１）〜（３）の処理を行う。
【００４１】
波長分割部４−１において分割された上流装置からの波長数情報信号３１は光信号のまま、波長数情報管理部３−２の波長数情報信号受信部３２へ送られる。      …（１）
波長数情報信号受信部３２では、受信した光信号を電気信号に変換し、受信側波長数情報抽出部３３へ送る。                                                  …（２）
波長数情報抽出部３３では波長数情報信号に格納されている波長数情報を抽出し、
１）合計波長数を波長分割部４−１へ送信する（受信側合計波長数情報３４）…（３）
２）各波長λ１〜λｎの光信号有無の情報を外部設定判定部３５へ送信する。…（４）
外部設定判定部３５では各波長λ１〜λｎに対する外部設定（「終端」／「通過」）の情報から各波長λ１〜λｎの光信号「有／無」情報の更新が必要か否かを判断し、送信側波長数情報生成部３７へ送信する（図５に示すフローチャートの「波長に対する外部設定が「終端」である」のステップＴ３に相当）。                            …（５）
送信側波長数情報生成部３７には波長多重部２−２より各波長λ１〜λｎの信号有無情報３６が送られてくる。                                                …（６）
送信側波長数情報生成部３７では波長多重装置１００では（６）の情報から光中継装置１０１では（５）、（６）の情報から送信側波長数情報を生成する。        …（７）
送信側波長数情報生成部３７で生成した送信側波長数情報について
ｉ）合計波長数を波長多重部２−２へ送信する（送信側合計波長数情報３８）…（８）
ii）波長数情報信号生成部３９において電気信号から任意の波長をもった光信号への変換を行って波長多重部４−１へ送信し、波長多重部４−１において他の波長の光信号と多重する。                                                                …（９）
【００４２】
ここで、外部設定判定部３５における外部設定について説明する。「外部の設定」とは、波長多重部２−１、２−２にある設定であり、各入力部における被制御光信号が（ａ）〜（ｃ）のどの状態のものであるかを図示しない外部保守者が回線設定時に行う処理である。
（ａ）外部インタフェース信号受信部１−１からの信号である（波長未使用状態含む。）。
（ｂ）波長中継部５−１を通過した被制御光信号である。
（ｃ）波長分割部４−１より波長中継部５−１を経由せずに波長多重部２−２に入力された被制御光信号である。
（ａ）、（ｂ）は被制御光信号自体が各ブロックで再生成されるため、光学的雑音（ノイズ）を削除することが可能である。（ｃ）の場合は波長分割後信号の再生成を行わないため、光学的雑音（ノイズ）を考慮する必要がある。従って、設定としては上記（ａ）、（ｂ）を示す設定「終端」、（ｃ）を示す設定「通過」の２つの値を有する。例えば、１６波の被制御光信号まで多重化できるシステムであればこの設定が各波長毎に１設定ずつ、合計１６個あることになる。
下流装置としての波長分割装置１０２は、光信号分割部４−２で分割された波長数情報信号に付与されている波長数情報をもとに入力する波長多重光信号に対するレベル調整やレベル監視機能の制御を行う。
【００４３】
このようにして本発明では波長多重光信号伝送システムに用いられる多重波長数情報を、波長の合計数だけではなく各波長単位に光信号の有無を含む情報とし、光中継装置１０１において波長数情報を波長多重装置１００から伝送されてくる情報をそのまま使用するか、新たに光中継装置１０１の波長多重部２−２における被制御光信号の入力の有無の情報を使用するか否かの判断を各波長単位で行う。このため、光中継装置１０１が光学的雑音による不正常信号レベルを信号「有」と誤判断することを防止し、正確な波長数を波長分割装置１０２へ伝送することとなり、波長多重光信号に対するレベル調整やレベル監視機能を正確に動作させることを可能とする。
【実施例１】
【００４４】
図１を参照すると、本発明の一実施例としての波長数伝送方法を適用した波長多重光信号伝送システムが示されている。
図１において、１００は波長多重装置、１０１は光中継装置、１０２は波長分割装置を示し、波長多重装置１００から波長分割装置１０２へのルートへ最大ｎ波の被制御光信号（波長λ１〜λｎ）と一つの制御光信号（波長λｎ＋１）とを多重した波長多重光信号Ｓ１、Ｓ２を伝送するシステムを示す。
なお、光中継装置１０２は、伝送路（光ファイバ７−１、７−２）の距離や受信した光信号のレベルの減衰量に応じて複数段配置されると共に、任意の被制御光信号を外部インタフェース信号送信部６−１へ分離したり外部インタフェース信号受信部１−２からの新たな被制御光信号を波長多重したりすることが可能である。
【００４５】
各装置において、１−１、１−２は、外部インタフェース信号受信部を示し、対向する装置（図示せず）からの光信号を受信し、任意の波長を持った被制御光信号への変換を行う。
２−１は、波長多重部を示し、外部インタフェース信号受信部１−１において変換されたｎ本の異なる波長の被制御光信号及び１つの制御光信号を受信し、１つの波長多重光信号Ｓ１を生成し、波長数に応じた光信号レベルを調整し伝送路（光ファイバ７−１）へ送信する。
２−２は、波長多重部を示しているが、波長多重部２−１とは多少異なり、波長分割部４−１からの正常な被制御光信号及び補正後（再生成後）の被制御光信号を受信し、外部インタフェース信号受信部１−２において変換された被制御光信号を受信し、波長数情報管理部３−２からの波長数情報信号と被制御光信号とで一つの波長多重光信号Ｓ２を生成し、光ファイバ７−２へ送信する。
３−１、３−２、３−３は、波長数情報管理部を示し、波長多重光信号Ｓ１、Ｓ２に多重されている被制御光信号の波長数の管理を行う。
４−１は、光信号分割部を示し、伝送路（光ファイバ７−１）より受信した波長多重光信号Ｓ１を波長数に応じて光レベルの調整を行い、各波長λ１〜λｎ＋１の被制御光信号に分割し、被制御光信号（波長λ１〜λｎ）をポートＰ２１〜Ｐ２ｎの対応するポートにそれぞれ出力し、制御光信号（波長λｎ＋１）を波長数情報管理部３−２へ送信する。
４−２は、光信号分割部を示し、伝送路（光ファイバ７−２）より受信した波長多重光信号Ｓ２を波長数に応じて光レベルの調整を行い、各波長λ１〜λｎ＋１の被制御光信号に分割し、被制御光信号（波長λ１〜λｎ）をポートＰ４１〜Ｐ４ｎの対応するポートにそれぞれ出力し、制御光信号（波長λｎ＋１）を波長数情報管理部３−３へ送信する。
５−１は、波長中継部を示し、劣化した波長の被制御光信号を補正し、元の品質へ戻す。
６−１は、外部インタフェース信号送信部を示し、図示しない対向する装置へ被制御光信号を送信する。
【００４６】
図１に示す波長多重装置１００において、外部インタフェース信号受信部１−１が受信した光信号は波長多重光信号用に任意の波長の光信号に変換され、波長多重部２−１へ送信される。
波長多重部２−１は、最大ｎ本の被制御光信号と一つの制御光信号とを波長多重し、波長多重光信号Ｓ１を生成する。このとき波長多重部２−１の各光信号の入力部（ポートＰ１１〜Ｐ１ｎ）において入力レベルを監視し、予め設定されている基準値以上の値を示す場合は被制御光信号を「有」と判断し、基準値以下の値を示す場合は被制御光信号を「無」と判断し、その情報を波長数情報管理部３−１へ送信する。
波長数情報管理部３−１では波長多重部２−１より受信した波長数情報を元に波長数情報信号（制御光信号）を生成し、波長多重部２−１へ送信する。
【００４７】
波長多重部２−１は、ｎ本の被制御光信号とともに波長数情報信号（制御光信号）を波長多重し、波長多重光信号Ｓ１を伝送路（光ファイバ７−１）に送信する。この際、波長数情報管理部３−１は、波長数情報信号に示されている波長数により送信された光信号の出力レベルの調整、および信号レベル監視機能の監視レベルの調整を行う。
光中継装置１０１では波長分割部４−１において受信した波長多重光信号から波長数情報信号（制御光信号）を分離し、波長数情報管理部３−２へ送信する。
波長数情報管理部３−２では受信した制御光信号から得られる合計波長数を光信号分割部４−１へ送信する。
波長分割部４−１では、受信した多重波長光信号Ｓ１を分割する際に波長数情報が収容された制御光信号も波長分割されるが、その制御光信号の構成要素、つまり波長数情報についてはこの時点では波長分割部４−１はまだ不明である。光信号の構成要素の解読は波長数情報管理部３−２で行う。波長分割部４−１では受信した波長多重光信号Ｓ１のレベル補正を行うため受信した光信号の波長数情報が必要である。この波長数情報は自装置の波長多重部２−２で生成する波長数情報ではなく、上流装置で生成された波長数の情報を使用する。従って、波長数情報管理部３−２から波長分割部２−２へ送信した光信号の波長数を送信することが必要になる。
光信号分割部では、制御光信号の波長数情報により受信した光信号のレベルの調整、および信号レベル監視機能の監視レベルの調整を行う。
光信号分割部４−２では、波長分割された各光信号（波長λ１〜λｎ）は、外部保守者の設定により、外部インタフェース信号送信部６−１から図示しない対向する装置へ送信する設定か、波長多重部２−２へ送信され再度波長多重光信号Ｓ２へ多重される設定かのどちらかに決定される。
【００４８】
分割された光信号が外部インタフェース信号送信部６−１へ送られるか、波長多重部２−２へ送られるかについては、その光信号をどこからどこまで送るのかという回線設定により決定する。例えば、波長多重装置１００が地区Ａに設置され、光中継装置１０１が地区Ｂに設置され、波長分割装置１０３が地区Ｃに設置されていると仮定する。
ここで、地区Ａから地区Ｂというルートの回線を設定したい場合には、光中継装置１０１で外部インタフェース信号送信部６−１へ送信する（ドロップ（ＤＲＯＰ）する）ことになり、地区Ａから地区Ｃというルートの回線を設定したい場合には、波長多重部２−２へ送信、地区Ｂから地区Ｃへというルートの回線を設定した場合には、新たに外部インタフェース信号受信部１−２から波長多重部２−２へ送信する（アド（ＡＤＤ）する）ことになる。
【００４９】
ここでいう「回線の設定」とは、単に各ブロックを接続する光ファイバケーブルのパッチ接続で行うことも可能であり、光スイッチを使用して機械的に制御して接続することも可能である。本発明では特に回線の設定の実現方法は指定する必要はない。
また、再度波長多重光信号へ多重される場合、伝送距離に応じて波長中継部５−１を使用し信号劣化の補正を行う場合がある。
波長中継部５−１を使用する条件としては、各装置１００〜１０１、１０１〜１０２間の伝送距離長およびスパン数により使用の有無が決定される。伝送距離が長くなったり、スパン数が多くなると伝送されている光信号の劣化が著しくなるので、波長中継部５−１を使用して光信号を再生成（中継）する必要がある。どの程度の距離で中継が必要になるかは各装置１００〜１０２がどこまでの距離およびスパン数を無中継で品質保証できるかで一意に決定する。
光中継装置１０１においても、波長多重部２−２の入力部（ポートＰ３１〜Ｐ３ｎ）において被制御光信号の入力レベルを監視することにより、各波長λ１〜λｎの被制御光信号の「有」「無」を判断し、その情報を波長数情報管理部３−２へ送信する。
【００５０】
波長数情報管理部３−２では波長多重部２−２より受信した情報を元に波長数情報信号を生成し、波長多重増幅部２−２へ送信する。
波長多重部２−２は、ｎ本の波長の被制御光信号とともに波長数情報信号を多重し、波長多重光信号を伝送路（光ファイバ７−２）へ送信を行う。この際、波長数情報信号に示されている波長数により送信信号の出力レベルの調整、および信号レベル監視機能の監視レベルの調整を行う。
波長分割装置１０２では波長分割部４−２において受信した波長多重光信号から波長数情報信号を分離し、波長数情報管理部３−３へ送信する。
波長数情報管理部３−３では受信した制御光信号から得られる波長数を波長分割部４−２へ送信する。
【００５１】
次に波長分割装置１０２の処理について述べる。
波長分割部４−２では、波長数情報管理部３−３から受信した波長数により受信信号のレベルの調整、および信号レベル監視機能の監視レベルの調整を行う。
波長分割部４−２で分割された各波長λ１〜λｎの被制御光信号は外部インタフェース信号送信部６−２から図示しない対向する装置へ送信される。
【００５２】
（実施例の動作の説明）
次に図１に示した波長多重光信号伝送システムの波長多重装置１００における波長多重光信号伝送の動作の詳細を説明する。
波長多重部２−１は、入力部（ポートＰ１１〜Ｐ１ｎ）における各光信号の入力レベルを監視することにより、信号の「有」「無」を判断する。
図１に示したシステムの場合、１波長目（ポートＰ１１）が「有」となり、２波長目（ポートＰ１２）が「無」となり、３波長目（ポートＰ１３）が「有」となり、４波長目（ポートＰ１４）が「無」となり、５波長目（ポートＰ１５）が「有」となり、…、以下、ｎ波長目（ポートＰ１ｎ）が「有」となる。
この各入力部（ポートＰ１１〜Ｐ１ｎ）の情報を波長数情報管理部３−１へ送信する。
波長数情報管理部３−１では波長多重部２−１より受信した情報を元に波長数情報信号を生成する。
【００５３】
図２に図１の波長多重光信号伝送システムで伝送される波長数情報信号を示す。
図２において、１波長目の被制御光信号の有無についてのデータＤ２１、２波長目の被制御光信号の有無についてのデータＤ２２、…、ｎ波長目の被制御光信号の有無についてのデータＤ２ｎと、合計波長数のデータＤ２Ｔとが示されている。これらのデータＤ２１〜Ｄ２Ｔが波長数情報であり、制御光信号に付与されている。
波長数情報信号は、外部インタフェース信号受信部１−１で生成される光信号の波長とは異なる波長をもち、波長多重部２−１から送信された各入力部（ポートＰ１１〜Ｐｎ）の情報と、その情報から信号入力が「有」となっている数を合計波長数として図２に示す「合計波長数」のエリア（タイムスロット）に格納する。
ここで、本発明では、この「合計波長数」を波長数情報として格納する機能は必須ではない。波長数情報は、各波長の光信号の「有無」情報のみ格納し、合計波長数は各装置ごとで「有」の数を数えて合計波長数を認識する方法も可能である。
波長多重部２−１では最大ｎ本の被制御光信号とともに波長数情報信号を波長多重し伝送路（光ファイバ７−１）へ送信する。
【００５４】
次に光中継装置１０１における波長数伝送の動作の詳細を説明する。
波長分割部４−１において受信した波長多重光信号から波長数情報信号を分離し、波長数情報管理部３−１へ送信する。
波長数情報管理部３−２では受信した光信号から得られる合計波長数の情報を波長分割部４−１へ送信する。
波長分割部４−１では合計波長数の情報により、伝送中に劣化した光信号のレベルの調整および信号レベル監視機能の監視レベルの調整を行う。
【００５５】
図３に図１の光中継装置１０１における波長数情報の更新方法を示す。
波長分割部４−１で分割された各被制御光信号（波長λ１〜λｎ）は、外部保守者の設定により、外部インタフェース信号送信部６−１から図示しない対向する装置へ送信する設定か、波長多重部２−２へ送信され再度波長多重光信号Ｓ２へ多重される設定のどちらかに決定される。
本情報は外部保守者によって、外部インタフェース信号送信部６−１から送信される場合、および波長中継部５−１を使用する場合は「終端」と設定し、波長ごとに分割された光信号をそのまま波長多重部２−２へ接続する場合は「通過」と設定される。「終端」と設定された場合は、その波長に対してのみ波長多重部２−２から送信される波長情報を有効とし波長数情報を更新する。「通過」と設定された波長の光信号は波長分割部４−１より受信した波長数情報を、そのまま波長多重部２−２へ送信する。ただし、上流からの波長数情報が信号「有」を示すにも関わらず、波長多重部２−２から送信される波長情報が「無」を示す場合は経路中の異常が考えられるため波長多重部２−２からの情報を使用する。
被制御光信号の有無の判定条件を表１に示す。
【００５６】
【表１】
2006014160.tif 000003
【００５７】
具体的な例を挙げて説明する。
図３の一段目（最上段）には上流（波長多重装置１００）から伝送される波長数情報群が示されている。この波長数情報群は、１波長目（波長λ１の被制御光信号）が有ることを表すデータＤ３１、２波長目（波長λ２の被制御光信号）が無いことを表すデータＤ３２、３波長目（波長λ３の被制御光信号）が有ることを表すデータＤ３３、４波長目（波長λ４の被制御光信号）…、ｎ波長目（波長λｎの被制御光信号）が有ることを表すデータＤ３ｎ、及び被制御光信号が有ることを表すデータの合計ｙを表すデータＤ３Ｔで構成されている。
一段目の波長数情報群について各波長λ１〜λｎへの設定処理が行われる。すなわち、波長数情報管理部３−２でデータＤ３１は「終端」を表すデータＷＳ１となり、データＤ３２は「通過」を表すデータＷＳ２となり、データＤ３３は「通過」を表すデータＷＳ３となり、…、データＤ３ｎは「終端」を表すデータＷＳｎとなる。
三段目の波長数情報群は、下流（波長分割装置１０２）へ伝送するための処理を示している。すなわち、データＷＳ１は「更新」を表すデータＤ４１となり、データＷＳ２は「２波長目の被制御光信号は無い」を表すデータＤ４２となり、データＷＳ３は「３波長目の被制御光信号は有る」を表すデータＤ４３となり、…、データＷＳｎは「更新」を表すデータとなる。これらのデータＤ４１〜Ｄ４ｎと、これらのデータＤ４１〜Ｄ４ｎのうちの「更新」及び「有る」を表すデータの合計ｙ’とが波長数情報となる。
四段目（最下段）の波長数情報群は、三段目の波長数情報群を元にして下流（波長分割装置１０２）へ伝送する最終的な情報である。すなわち、「波長λ１の被制御光信号が有る」ことを表すデータＤ５１、「波長λ２の被制御光信号が無い」ことを表すデータＤ５２、「波長λ３の被制御光信号が有る」ことを表すデータＤ５３、…、「波長λｎの被制御光信号が有る」ことを表すデータＤ５ｎ、及びデータＤ５１〜Ｄ５ｎのうち「被制御光信号が有る」ことを表すデータの合計ｙ’とからなる波長数情報を伝送する。
【００５８】
次に波長分割装置１０２における波長多重光信号伝送方法の動作の詳細を説明する。
波長分割部４−２において受信した波長多重光信号Ｓ２から波長数情報信号を分離し、波長数情報管理部３−３へ送信する。
波長数情報管理部３−３では受信した光信号から得られる合計波長数の情報を波長分割部４−２へ送信する。
【００５９】
以上の動作をフローチャートを用いて説明する。
図４は図１に示した波長多重装置１００における波長情報信号の処理についてのフローチャートであり、図５は図１に示した光中継装置１０１における波長情報信号の処理についてのフローチャートであり、図６は図１に示した波長分割装置における波長情報信号の処理についてのフローチャートである。
図４において、波長多重装置１００（図１参照）は、波長多重部２−１の入力部（ポートＰ１１〜Ｐ１ｎ）の光信号レベルが基準値以上であるか否かを判断し（ステップＳ１）、光信号レベルが基準値以上であると判断した場合（ステップＳ１／Ｙ）には、該当波長の光信号の波長数情報を「有」とし（ステップＳ２）、波長数情報管理部３−１にて「有」の数をカウントし、合計波長数を波長多重部２−１へ送信する（ステップＳ４）。
波長数情報管理部３−１は、波長数情報信号を生成し、波長多重部２−１にて他波長と波長多重を行い下流装置、すなわち光中継装置１０１へ送信する（ステップＳ５）。
ステップＳ１で光信号レベルが基準値以上でないと判断した場合（ステップＳ１／Ｎ）には、該当波長の被制御光信号の波長数情報を「無」とし（ステップＳ３）、波長数情報管理部３−１にて「有」の数をカウントし、合計波長数を波長多重部２−１へ送信する（ステップＳ４）。
波長数情報管理部３−１にて波長数情報信号を生成し、波長多重部２−１にて他波長と波長多重を行い下流装置、すなわち光中継装置１０１へ送信する（ステップＳ５）。
【００６０】
図５において、光中継装置１０１（図１参照）は、波長分割部４−１において受信した波長多重光信号から波長数情報信号を分離し、波長数情報管理部３−２へ送信する（ステップＴ１）。
波長数情報管理部３−２は、波長数情報信号に格納されている合計波長数の情報を波長分割部４−２へ送信する（ステップＴ２）。
波長数情報管理部３−２は、波長に対する外部設定が終端であるか否かを判断し（ステップＴ３）、外部設定が終端であると判断した場合（ステップＴ３／Ｙ）には波長多重部２−２の入力部（ポートＰ３１〜Ｐ３ｎ）の信号レベルが基準値以上であるか否かを判断する（ステップＴ４）。
波長数情報管理部３−２は、入力部（ポートＰ２１〜Ｐ２ｎ）の信号レベルが基準値以上であると判断した場合（ステップＴ４／Ｙ）、該当波長の波長数情報を「有」とする（ステップＴ５）。
波長数情報管理部３−２は、波長数情報を「有」とした後、波長数情報管理部３−２にて「有」の数をカウントし、合計波長数を波長多重部２−２へ送信する（ステップＴ６）。
合計波長数が波長多重部２−２へ送信された後、波長数情報管理部３−２は波長数情報信号を生成し、波長多重部２−２は他波長と波長多重を行い下流装置（波長分割装置１０２）へ送信する（ステップＴ７）。
ステップＴ３にて波長に対する外部設定が終端でないと判断された場合（ステップＴ３／Ｎ（＝通過））、波長多重部２−２の入力部の信号レベルが基準値以上であるか否かの判断がなされる（ステップＴ８）。その信号レベルが基準値以上であると判断された場合（ステップＴ８／Ｙ）には、受信した波長数情報信号に格納されている波長数情報が「有」であるか否かの判断がなされる（ステップＴ９）。その格納されている波長数情報が「有」であると判断された場合（ステップＴ９／Ｙ）該当波長の波長数情報を「有」とし（ステップＴ５）、ステップＴ６、Ｔ７の処理がなされる。
波長多重部２−２の入力部の信号レベルが基準値以上ではないと判断された場合（ステップＴ４／Ｎ）、該当波長の波長数情報を「無」とし（ステップＴ１１）、ステップＴ６、Ｔ７の処理がなされる。
波長多重部２−２の入力部の信号レベルが基準値以上ではないと判断された場合（ステップＴ８／Ｎ）及び、受信した波長数情報信号に格納されている波長数情報が「有」ではないと判断された場合（ステップＴ９／Ｎ）は該当波長の光信号の波長数情報を「無」とし（ステップＴ１０）、ステップＴ６、Ｔ７の処理がなされる。
【００６１】
図６において、波長分割装置１０２（図１参照）は、波長分割部４−２において受信した波長多重光信号から波長数情報信号を分離し、波長数情報管理部３−３へ送信する（ステップＵ１）。
波長数情報管理部３−３において波長数情報信号に格納されている合計波長数の情報を波長分割部４−２へ送信する（ステップＵ２）。
ここで、波長多重光信号自体の（波長の分離／多重を行わずに）光信号のレベル調整を行う光中継装置（増幅装置）もこの種の装置の一例として存在する。その構成は、波長数情報管理部と光中継装置１０１において光信号の分割／多重処理を省いたものである。同様に波長数情報によるレベル調整を行うが、波長多重光信号を分割しない（波長数情報信号のみ分割、多重する）ので、本発明で述べるような個別波長数情報の必要性はない。現在は合計波長数で被制御光信号の制御を行うが、個別波長数情報の「有」の合計数で制御を行うことが可能である。
【００６２】
（効果の説明）
以上説明したように、本実施例においては、以下に記載するような効果を奏する。
波長多重光信号は分割、多重を繰り返すと本来光信号がなかった波長の光信号に対しても、光学的雑音が生じ光レベルが高くなる傾向にあるが、本波長多重光信号伝送方法を適用することによって上流の装置における波長数情報が正確に伝送されてくるため、雑音によるレベルなのか主信号によるレベルなのかを正確に判断することが可能となる。
【実施例２】
【００６３】
図７は、本発明の波長多重光信号伝送方法を適用した波長多重光信号伝送システムの他の実施例を示す概念図である。
本発明の他の実施例として、その基本的構成は上記の通りであるが図７に示すように光中継装置１０１−１、１０１−２、１０１−３のみを使用したリングネットワークシステムについても本発明を適用することが可能である。
リングネットワークとは、波長多重光信号が一つの円になっているようなネットワーク構成をいう。その構成中で各波長λ１〜λｎの光信号を使用して任意の装置から任意の装置へ光信号を伝送する。この場合、装置の機能として入力した波長多重光信号を各波長λ１〜λｎに分割し、各波長ごとにドロップ（ＤＲＯＰ）するか、アド（ＡＤＤ）するか、通過させるかを決定し、その後多重して波長多重光信号を生成し送信する機能が必要となる。光中継装置１０１を使用することによって、本機能を実現することが可能となる。
この場合、波長数情報のルーピング化を防ぐため、１装置は必ず波長数情報を終端する装置が必要となる。この装置では、全ての波長の外部設定を「終端」で設定し、通過波長においては必ず波長中継部５−１を使用することとする（本実施例では光中継装置１０１−１〜１０１−３の数が３個であるが、個数については限定されるものではない。）。
図７では左側の光中継装置１０１−１が波長数情報の終端装置となり、「※」、「※」間が接続されていることを示す。
この場合、図の左側の光中継装置１０１−１が上流装置となり、同時に下流装置となる。
ここで、波長多重光信号自体の（波長の分離／多重を行わずに）光信号のレベル調整を行う光中継装置（増幅装置）もこの種の装置の１例として存在する。その構成は、波長数情報管理部と光中継装置１０１−１〜１０１−３において光信号の分割／多重処理を省いたものである。同様に波長数情報によるレベル調整を行うが、波長多重光信号を分割しない（波長数情報信号のみ分割、多重する）ので、本発明で述べるような個別波長数情報の必要性はない。現在は合計波長数で被制御光信号の制御を行うが、個別波長数情報の「有」の合計数で制御を行うことが可能である。
【００６４】
（効果の説明）
本実施例によれば、光中継装置と光ファイバとで波長多重光信号伝送システムを構成することができると共に、上流の装置における波長信号の情報が正確に伝送されてくるため、雑音によるレベルなのか主信号によるレベルなのかを正確に判断することが可能となる。
【実施例３】
【００６５】
図８（ａ）は本発明の波長多重光信号伝送方法を適用した波長多重光信号伝送システムの他の実施例を示す模式図であり、図８（ｂ）は図８（ａ）に示したシステムに用いられる光中継装置の概念図である。
図８（ａ）に示す波長多重光信号伝送システムは、複数（図では４個であるが限定されない。）の光中継装置８０−１〜８０−４を複数対（この場合４対であるが限定されない。）の光ファイバ７−１ａ〜７−４ａ、７−１ｂ〜７−４ｂで接続したものである。
光中継装置８０−１は、図８（ｂ）に示すように一つの筐体内に一対の光中継器１０１−１、１０１−２が配置されたものである。両光中継器１０１−１、１０１−２は、図１に示した光中継装置１０１と同様の構成を有するものであるが、波長多重光信号の入出力方向が互いに逆方向になるように配置されている。
他の光中継装置８０−２〜８０−４も光中継装置８０−１と同様の構成を有するものである。
本波長多重光信号伝送システムは、例えば、光中継装置８０−１の外部インタフェース信号受信部１−３に波長λ１の被制御光信号を入力し、光中継装置８０−２の外部インタフェース信号送信部６−２から上記波長λ１の被制御光信号を出力させることができる。光中継装置８０−２の外部インタフェース信号受信部１−３に波長λ２の被制御光信号を入力し、光中継装置８０−３の外部インタフェース信号送信部６−２から上記波長λ２の被制御光信号を出力させることができる。すなわち、任意の光中継装置８０−１の外部インタフェース信号受信部１−３に任意の被制御光信号を入力し、任意の光中継装置８０−２〜８０−４の外部インタフェース信号送信部６−２からその被制御光信号を出力させることができる。
【００６６】
（効果の説明）
本波長多重光信号伝送システムは、一方向について独立した機能ブロックを持ち、独立した処理を行うため、装置を組み合わせることによって双方向通信のネットワークにも対応することが可能である。
【実施例４】
【００６７】
図９は本発明の波長多重光信号伝送方法を適用した波長多重光伝送システムの他の実施例を示す模式図である。
同図に示す波長多重光伝送システムは、一対の光中継器を有する光中継装置を複数個配置し、各光中継装置の一方の光中継器同士を光ファイバで接続して直鎖状の伝送路を形成すると共に他方の光中継器同士を光ファイバで接続して直鎖状の伝送路を形成し、両端の光中継器にそれぞれ上流装置及び下流装置を接続し、制御光信号及び複数の被制御光信号からなる波長多重光信号をそれぞれ両伝送路で互いに逆方向になるように伝送させる波長多重光信号伝送システムであって、各光中継器は、前段の光中継器の波長多重光信号を分割する分割手段と、波長毎の信号の有無を表す波長数情報群を含む制御光信号に基づいて波長多重光信号を波長毎に処理する処理手段と、処理手段により処理された制御光信号及び被制御光信号を再度多重化する多重化手段とを有することを特徴とする。
すなわち、本システムは、図８（ｂ）に示した光中継装置８０−１を複数個配置し、各光中継装置８０−１を光ファイバで接続して直鎖状の伝送路を形成し、両端に波長多重装置１００及び波長分割装置１０２をそれぞれ接続したものである。
（効果の説明）
本波長多重光信号伝送システムは、一方向について独立した機能ブロックを持ち、独立した処理を行うため、装置を組み合わせることによって双方向通信のネットワークにも対応することが可能である。
【図面の簡単な説明】
【００６８】
【図１】本発明の波長多重光信号伝送方法を適用した波長多重光信号伝送システムの一実施の形態を示す概念図である。
【図２】図１の波長多重光信号伝送システムで伝送される波長数情報信号を示す図である。
【図３】図１の光中継装置における波長数情報の更新方法を示す図である。
【図４】図１に示した波長多重装置１００における波長情報信号の処理についてのフローチャートである。
【図５】図１に示した光中継装置１０１における波長情報信号の処理についてのフローチャートである。
【図６】図１に示した波長分割装置における波長情報信号の処理についてのフローチャートである。
【図７】本発明の波長多重光信号伝送方法を適用した波長多重光信号伝送システムの他の実施例を示す概念図である。
【図８】（ａ）は本発明の波長多重光信号伝送方法を適用した波長多重光信号伝送システムの他の実施例を示す模式図であり、（ｂ）は（ａ）に示したシステムに用いられる光中継装置の概念図である。
【図９】本発明の波長多重光信号伝送方法を適用した波長多重光伝送システムの他の実施例を示す模式図である。
【図１０】従来の波長数伝送方法を適用した波長多重光信号伝送システムを示す図である。
【図１１】光中継装置を多段直列接続した状態を示す図である。
【図１２】（ａ）は波長多重化される光信号列を示す図であり、（ｂ）は（ａ）の部分拡大図である。
【符号の説明】
【００６９】
１−１、１−２    外部インタフェース信号受信部
２−１、２−２    波長多重部
３−１〜３−３    波長数情報管理部
４−１、４−２    波長分割部
５−１〜５−４    波長中継部
６−１〜６−３    外部インタフェース信号送信部
７−１、７−２、７−１ａ〜７−４ａ、７−１ｂ〜７−４ｂ    光ファイバ
１００    波長多重装置
１０１    光中継装置
１０１−１、１０１−２    光中継器
１０２    波長分割装置
Ｓ１、Ｓ２    波長多重光信号
【図１】
2006014160.tif 000004
【図２】
2006014160.tif 000005
【図３】
2006014160.tif 000006
【図４】
2006014160.tif 000007
【図５】
2006014160.tif 000008
【図６】
2006014160.tif 000009
【図７】
2006014160.tif 000010
【図８】
2006014160.tif 000011
【図９】
2006014160.tif 000012
【図１０】
2006014160.tif 000013
【図１１】
2006014160.tif 000014
【図１２】
2006014160.tif 000015